(57)【特許請求の範囲】
【請求項１】
内部に収納する発行媒体を発行する自動発行装置において、
前記発行媒体の属性を表す属性情報を記憶するＲＦＩＤタグが備えられた前記発行媒体を収納する収納部と、
前記収納部に収納された前記発行媒体の前記ＲＦＩＤタグから前記属性情報を読み取るリーダライタ部と、
前記収納部に対する発行媒体の属性の対応付けを表す収納部情報を記憶する収納部情報記憶部と、
前記収納部情報に基づいて、前記リーダライタ部に読み取られた前記収納部内の前記発行媒体の前記属性情報に、前記収納部に対応付けた前記属性と異なる属性が含まれるか否かを判定する比較判定部と、
を有することを特徴とする自動発行装置。
【請求項２】
前記比較判定部が、前記収納部に収納された前記発行媒体の前記属性情報に、前記収納部に対応付けた前記属性と異なる属性が含まれると判定した場合に、その旨を警告する警告部をさらに有することを特徴とする請求項１記載の自動発行装置。
【請求項３】
前記収納部に収納されている前記発行媒体の収納数を計数する計数部をさらに有し、
前記収納部情報では、前記収納部に発行媒体の属性と共に当該発行媒体の収納予定数が対応付けられており、
前記比較判定部が、前記収納部に収納された前記発行媒体の前記属性情報に、前記収納部に対応付けた前記属性と異なる属性が含まれないと判定した場合に、前記比較判定部は、さらに、前記計数部が計数した前記収納数と、前記収納予定数とを比較する、
ことを特徴とする請求項２記載の自動発行装置。
【請求項４】
前記警告部は、前記計数部が計数した前記収納数と、前記収納予定数とが一致しない場合に、その旨を警告する、
ことを特徴とする請求項３記載の自動発行装置。
【請求項５】
内部に収納する発行媒体を発行する自動発行装置において、
前記発行媒体の属性を表す属性情報を記憶するＲＦＩＤタグが備えられた前記発行媒体を収納する収納部と、
前記収納部に収納された前記発行媒体の前記ＲＦＩＤタグから前記属性情報を読み取るリーダライタ部と、
前記リーダライタ部に読み取られた前記収納部内の前記発行媒体の前記属性情報が、全て一致しているか否かを判定する比較判定部と、
前記比較判定部の判定の結果、前記属性情報が全て一致している場合、前記収納部に前記属性を対応付ける収納部情報設定部と、
を有することを特徴とする自動発行装置。
【請求項６】
内部に収納する発行媒体を発行する自動発行装置の管理方法において、
前記発行媒体の属性を表す属性情報を記憶するＲＦＩＤタグが備えられた前記発行媒体を収納する収納部に対する発行媒体の属性の対応付けを表す収納部情報に基づいて、前記収納部に収納された前記発行媒体の前記ＲＦＩＤタグから前記属性情報を読み取るリーダライタ部で読み取った前記収納部内の前記発行媒体の前記属性情報に、前記収納部に対応付けた前記属性と異なる発行媒体の有無を判定する、
ことを特徴とする管理方法。
【請求項７】
内部に収納する発行媒体を発行する自動発行装置の管理方法において、
前記発行媒体の属性を表す属性情報を記憶するＲＦＩＤタグが備えられた前記発行媒体を収納する収納部に収納された前記発行媒体の前記ＲＦＩＤタグから前記属性情報を読み取るリーダライタ部に読み取られた前記収納部内の前記発行媒体の前記属性情報が、全て一致しているか否かを判定し、
判定結果が、前記属性情報が全て一致している場合、前記収納部に前記属性を対応付ける、
ことを特徴とする管理方法。
【請求項８】
内部に収納する発行媒体を発行する自動発行装置の管理プログラムにおいて、
コンピュータに
前記発行媒体の属性を表す属性情報を記憶するＲＦＩＤタグが備えられた前記発行媒体を収納する収納部に対する発行媒体の属性の対応付けを表す収納部情報に基づいて、前記収納部に収納された前記発行媒体の前記ＲＦＩＤタグから前記属性情報を読み取るリーダライタ部で読み取った前記収納部内の前記発行媒体の前記属性情報に、前記収納部に対応付けた前記属性と異なる発行媒体の有無を判定させる、
処理を実行させることを特徴とする管理プログラム。
【請求項９】
内部に収納する発行媒体を発行する自動発行装置の管理プログラムにおいて、
コンピュータに
前記発行媒体の属性を表す属性情報を記憶するＲＦＩＤタグが備えられた前記発行媒体を収納する収納部に収納された前記発行媒体の前記ＲＦＩＤタグから前記属性情報を読み取るリーダライタ部に読み取られた前記収納部内の前記発行媒体の前記属性情報が、全て一致しているか否かを判定させ、
判定結果が、前記属性情報が全て一致している場合、前記収納部に前記属性を対応付けさせる、
処理を実行させることを特徴とする管理プログラム。
【発明の詳細な説明】
【技術分野】
【０００１】
本発明は、自動発行装置、管理方法及び管理プログラムに関する。
【背景技術】
【０００２】
金融機関では、預金証書、為替証書等の証書及び通帳等は自動発行装置内に収納されて管理されている。なお、以下では、通帳を例に挙げて説明する。このような通帳は、自動発行装置に収納される際には、例えば、普通預金、定期預金といった用途の種類、並びに表紙デザイン等の形態の種類に応じてカセットにそれぞれ収納され、このような属性の種類ごとに通帳を収納したカセットが自動発行装置内の所定位置にセットされる。また、このように収納された通帳を顧客に提供する際には、行員（ユーザ）は操作入力により自動発行装置に所定の属性を指定した発行要求を通知して発行された所望の通帳が、ユーザから顧客に受け渡される。
【０００３】
また、このような証書及び通帳は、紙幣・硬貨と同様に、厳重に管理される必要がある。このため、例えば、通帳を自動発行装置に装填する際には、予めユーザは装填する通帳の冊数を自動発行装置に入力するようにしている。自動発行装置の運用に伴って装填された通帳の冊数の増減に応じて、入力した通帳の冊数も増減させて、これらの冊数が常に一致するか否かが監視され、通帳の紛失等が生じた場合にすぐに対応できるように管理されている。
【０００４】
ところが、人為的なミスが原因で、入力した冊数と、実際に装填した冊数とが異なる場合には、自動発行装置は、運用中にカウンタ不整合が生じて、発行処理中に異常が検知されて休止してしまう。また、カセットに収納された通帳の属性の種類が混入されてしまった場合にも、自動発行装置は上記と同様に休止してしまう。さらに、通帳を収納したカセットを自動発行装置の所定位置にセットしなかった場合にも、上記と同様に休止してしまう。
【０００５】
このような問題が生じた場合には、厳重な管理が必要であるために、ユーザは原因解明のために、通帳の冊数を過去に遡って調査し、自動発行装置の再点検等の煩雑で困難を極める作業を行う必要があり、また、復旧には多大な労力がかかり、ユーザには大きな負担となっていた。
【０００６】
そこで、例えば、通帳に所定の情報が書き込まれた磁気ストライプを設置して、当該磁気ストライプに書き込まれた情報により、通帳の管理を行う方法が行われている（例えば、特許文献１参照）。
【先行技術文献】
【特許文献】
【０００７】
【特許文献１】特開２００４−６２７０３号公報
【発明の概要】
【発明が解決しようとする課題】
【０００８】
しかし、上記のような磁気ストライプを用いた通帳を管理する方法では、入力冊数と装填冊数とが異なる場合、異なる属性の通帳が混入された場合などの人為的なセットミスを、通帳発行処理に至るまで検出できず、異常の検出が遅れるとともに、復旧処理に多大な労力を必要とする問題があった。
【０００９】
本発明はこのような点に鑑みてなされたものであり、人為的な誤入力及び誤装填が防止される自動発行装置、管理方法及び管理プログラムを提供することを目的とする。
【課題を解決するための手段】
【００１０】
上記目的を達成するために、前記発行媒体の属性を表す属性情報を記憶するＲＦＩＤタグが備えられた前記発行媒体を収納する収納部と、前記収納部に収納された前記発行媒体の前記ＲＦＩＤタグから前記属性情報を読み取るリーダライタ部と、前記収納部に対する発行媒体の属性の対応付けを表す収納部情報を記憶する収納部情報記憶部と、前記収納部情報に基づいて、前記リーダライタ部に読み取られた前記収納部内の前記発行媒体の前記属性情報に、前記収納部に対応付けた前記属性と異なる属性が含まれるか否かを判定する比較判定部と、を有する自動発行装置が提供される。
【００１１】
また、上記目的を達成するために、上記の自動発行装置と同様の方法及び処理をコンピュータに実行させるプログラムが提供される。
さらに、上記目的を達成するために、前記発行媒体の属性を表す属性情報を記憶するＲＦＩＤタグが備えられた前記発行媒体を収納する収納部と、前記収納部に収納された前記発行媒体の前記ＲＦＩＤタグから前記属性情報を読み取るリーダライタ部と、前記リーダライタ部に読み取られた前記収納部内の前記発行媒体の前記属性情報が、全て一致しているか否かを判定する比較判定部と、前記比較判定部の判定の結果、前記属性情報が全て一致している場合、前記収納部に前記属性を対応付ける収納部情報設定部と、を有する自動発行装置が提供される。
【００１２】
また、上記目的を達成するために、上記の自動発行装置と同様の方法及び処理をコンピュータに実行させるプログラムが提供される。
【発明の効果】
【００１３】
上記の自動発行装置、管理方法及び管理プログラムによれば、収納する発行媒体の管理性を向上させることができる。
【図面の簡単な説明】
【００１４】
【図１】第１の実施の形態に係る自動発行装置の構成を示す図である。
【図２】第２の実施の形態に係る自動発行装置のハードウェア構成例を示す図である。
【図３】第２の実施の形態に係る自動発行装置の外観を示す図である。
【図４】第２の実施の形態に係る自動発行装置の内部構成を示す図である。
【図５】第２の実施の形態に係るリーダライタ部のハードウェア構成例を示す図である。
【図６】第２の実施の形態に係る通帳及び通帳に貼付されたＩＣカードの構成を示す図である。
【図７】第２の実施の形態に係る通帳に貼付されたＩＣカードに内臓されたＲＦＩＤタグ部のハードウェア構成例を示す図である。
【図８】第２の実施の形態に係る自動発行装置が備える機能を示すブロック図である。
【図９】第２の実施の形態に係る自動発行装置にセットされるカセットに対応付けた通帳の属性及び冊数を示す図である。
【図１０】第２の実施の形態に係る自動発行装置で通帳の装填を実行するための処理を示すフローチャートである。
【図１１】第２の実施の形態に係る自動発行装置で通帳の発行を実行するための処理を示すフローチャートである。
【図１２】第２の実施の形態に係る自動発行装置で通帳の待機時の管理を実行するための処理を示すフローチャートである。
【図１３】第３の実施の形態に係る自動発行装置が備える機能を示すブロック図である。
【図１４】第３の実施の形態に係る自動発行装置に収納される通帳の属性及び冊数を示す図である。
【図１５】第３の実施の形態に係る自動発行装置で通帳の装填を実行するための処理を示すフローチャートである。
【図１６】第３の実施の形態に係る自動発行装置にセットされるカセットに新たに対応付けた通帳の属性及び冊数を示す図である。
【発明を実施するための形態】
【００１５】
以下、実施の形態を図面を参照して説明する。
［第１の実施の形態］
図１は、第１の実施の形態に係る自動発行装置の構成を示す図である。
【００１６】
自動発行装置１は、属性が対応付けられた収納部に、当該属性と異なる発行媒体が収納されているか否かを判定するものである。さらに、当該収納部に、所定数の発行媒体が収納されているか否かを判定するものである。
【００１７】
このような自動発行装置１は、ＲＦＩＤ（Radio Frequency IDentification）タグを備える発行媒体を収納する収納部２、収納部２の発行媒体のＲＦＩＤタグに記憶された情報を読み取るリーダライタ部３、及び自動発行装置１内を制御する制御部４を備える。
【００１８】
収納部２は、属性を表す属性情報を記憶するＲＦＩＤタグを備える発行媒体を収納する。なお、発行媒体とは、例えば、証書、通帳等、自動発行装置１内にセットされて、発行されるものである。属性とは、証書であれば預金証書、為替証書等、通帳であれば普通口座通帳、定期口座通帳、総合口座通帳等の発行媒体の用途・形態等の種類のことを表す。ＲＦＩＤタグには、発行媒体５を識別する識別情報も記憶されている。また、収納部２には、後述するように、収納される発行媒体５の属性が対応付けられており、発行媒体を収納する際には、発行媒体５は対応する属性の収納部２に収納される。
【００１９】
リーダライタ部３は、収納部２に収納された発行媒体５のＲＦＩＤタグから属性情報を読み取る。また、リーダライタ部３は、ＲＦＩＤタグから属性情報に限らず、発行媒体５の識別情報等を必要に応じて読み取る。
【００２０】
制御部４は、リーダライタ部３を含む自動発行装置１全体の制御を実行する。また、制御部４は、収納部情報記憶部４ａ、比較判定部４ｂ、計数部４ｃ及び警告部４ｄを有する。
【００２１】
収納部情報記憶部４ａは、収納部情報を予め保持する。収納部情報とは、収納部２に、収納される発行媒体５の属性をそれぞれ対応付けた情報を表す。さらに、収納部情報は、ユーザによって、収納部２に対して、収納する発行媒体５の収納数が対応付けられている。
【００２２】
比較判定部４ｂは、収納部情報に基づいて、収納部２が収納する発行媒体に属性の異なる発行媒体が混入されているか否かを判定する。また、比較判定部４ｂは、収納部２が収納する発行媒体に属性の異なる発行媒体が無い場合に、さらに、後述する計数部４ｃが計数した当該収納部２に収納されている発光媒体５の収納数と、収納部情報の収納部２に対応付けられた収納数とを比較する。
【００２３】
計数部４ｃは、収納部２に収納されている発行媒体５の収納数を計数する。
警告部４ｄは、比較判定部４ｂの比較判定結果に応じて、ユーザに対してユーザが設定した収納部情報と、収納部２に収納された発行媒体とが異なる旨（エラー）を警告する。なお、警告の方法としては、例えば、自動発行装置１の表示画面にエラーを表示する、自動発行装置１から警告音を出力させる等が行われる。
【００２４】
なお、上記処理機能のうち、例えば、比較判定部４ｂ及び計数部４ｃは、自動発行装置１が備えるＣＰＵ（Central Processing Unit：中央演算処理装置）によって所定のプログラムが実行されることで実現される。また、これらの処理機能の少なくとも一部が、個別のハードウェアによって実現されてもよい。
【００２５】
次に、このような構成を備える自動発行装置１における、発行媒体の装填時の管理方法について説明する。
初期設定として、ユーザは、自動発行装置１に対して操作入力を行って、発行媒体の属性が対応付けられた収納部２に対して、収納させる発行媒体の収納数を設定し、収納部情報記憶部４ａに記憶しておく。さらに、ユーザは、所定の収納数の発行媒体５を収納した収納部２を自動発行装置１の所定の位置にセットする。そして、ユーザの実行命令によって自動発行装置１では以下の処理が開始される。
【００２６】
まず、リーダライタ部３は、収納部２に収納されている発行媒体５のＲＦＩＤタグの属性情報を読み取る。
比較判定部４ｂは、収納部情報記憶部４ａに記憶されている収納部情報に基づいて、収納部２が収納する発行媒体５に、収納部２に対応付けられた属性と異なる発行媒体の有無を判定する。なお、収納部２に対応付けられた属性と異なる発行媒体がある場合には、警告部４ｄがユーザに警告を行う。
【００２７】
さらに、計数部４ｃは収納部２に収納されている発行媒体５のＲＦＩＤタグに記憶された識別情報を計数して収納数を算出し、比較判定部４ｂは、計数された発行媒体５の収納数と、収納部情報の収納部２に対応付けられた収納数とを比較する。この時、互いの収納数が一致する場合には、装填処理が終了し、異なる場合に、警告部４ｄがユーザに警告を行う。
【００２８】
このように自動発行装置１では、発行媒体５に属性情報等を記憶させたＲＦＩＤタグを設置して、予め設定した収納部情報に基づき、ＲＦＩＤタグに記憶された情報を利用することで、収納部２に所定の属性の発行媒体５が収納されているか否かを即時に判定することができる。さらに、収納部２に所定の属性の発行媒体５が収納されている場合に、収納部２に所定の収納数の発行媒体５が収納されているか否かを即時に判定することができる。
【００２９】
このため、ユーザが収納部２に属性の異なる発行媒体を誤って収納した場合、収納部２に収納数を誤って設定した場合等の人為的エラーがユーザに即時に通知されるようになり、発行媒体の管理性が向上する。
【００３０】
なお、上記の場合では、発行媒体の属性の判定処理後に、発行媒体の計数処理を行ったが、これらの処理順序を逆に実行しても上記と同様の効果が得られる。
即ち、計数部４ｃが、収納部２に収納されている発行媒体のＲＦＩＤタグに記憶された識別情報により収納数を計数し、比較判定部４ｂは、計数された発行媒体の収納数と、収納部情報の収納部２に対応付けられた収納数とを比較する。この時、互いの収納数が異なる場合に、警告部４ｄがユーザに警告を行う。互いの収納数が一致する場合には、さらに比較判定部４ｂは、収納部情報記憶部４ａに記憶されている収納部情報に基づいて、収納部２が収納する発行媒体５に、収納部２に対応付けられた属性と異なる発行媒体の有無を判定する。この時、収納部２に対応付けられた属性と異なる発行媒体がある場合には、警告部４ｄがユーザに警告を行う。このような処理を実行した場合にも上記と同様の効果が得られる。
【００３１】
［第２の実施の形態］
第２の実施の形態では、第１の実施の形態についてより詳細に説明する。なお、以下では発行媒体として通帳の場合を例に挙げて説明する。
【００３２】
図２は、第２の実施の形態に係る自動発行装置のハードウェア構成例を示す図である。
自動発行装置１０は、属性ごとに通帳が収納されたカセットが所定位置にセットされて、ユーザの発行命令に応じて、所定属性及び冊数の通帳を発行するものである。
【００３３】
このような自動発行装置１０は、図２に示すように、制御ユニット２０、表示ユニット３０、搬送ユニット４０、印字ユニット５０、カードリーダライタユニット６０及びリーダライタユニット７０を有し、内部の所定位置にカセットユニット８０がセットされている。
【００３４】
制御ユニット２０は、ＣＰＵ２０ａによって、カセットユニット８０を除く上記ユニット全体が制御されている。ＣＰＵ２０ａには、ＲＡＭ（Random Access Memory）２０ｂ、ＨＤＤ（Hard Disk Drive）２０ｃ、グラフィックインタフェース２０ｄ、通信インタフェース２０ｅ及び入出力インタフェース２０ｆがバス２０ｇを介してそれぞれ接続されている。
【００３５】
ＲＡＭ２０ｂには、ＣＰＵ２０ａに実行させるＯＳ（Operating System）のプログラム及びアプリケーションプログラムの少なくとも一部が一時的に格納される。また、ＲＡＭ２０ｂには、ＣＰＵ２０ａによる処理に必要な各種情報及び処理の過程で生成される各種情報が格納される。
【００３６】
ＨＤＤ２０ｃには、ＯＳやアプリケーションが扱うデータが格納される。また、ＨＤＤ２０ｃには、ＣＰＵ２０ａによる処理に必要な各種データが格納される。
グラフィックインタフェース２０ｄには、表示ユニット３０が接続されている。グラフィックインタフェース２０ｄは、ＣＰＵ２０ａからの命令に従って、画像を表示ユニット３０の画面に表示させる。また、グラフィックインタフェース２０ｄは、表示ユニット３０から操作入力された情報を取得する。
【００３７】
通信インタフェース２０ｅは、例えば、各金融機関に設置されたコンピュータを管理する管理センターのホストコンピュータ（図示を省略）と通信可能に例えばＬＡＮ（Local Area Network）で接続されており、当該ホストコンピュータと送受信信号の通信を行うことができる。
【００３８】
入出力インタフェース２０ｆは、搬送ユニット４０、印字ユニット５０、カードリーダライタユニット６０及びリーダライタユニット７０からのデータの入出力を受け付けるインタフェースである。ＣＰＵ２０ａからの命令に従って、各ユニットを制御し、各ユニットから送られてくる信号をＣＰＵ２０ａに出力する。
【００３９】
表示ユニット３０は、後述するタッチパネル３１及びタッチパネル３１に対する操作入力の信号を受信するタッチパネルコントローラにより構成されている。ユーザは、当該表示ユニット３０により、自動発行装置１０に対して設定及び所定処理の実行命令を行うことができ、また、自動発行装置１０で行われた処理結果を視認することができる。
【００４０】
搬送ユニット４０は、通帳挿入／排出口４１（後述）から挿入された通帳を自動発行装置１０内のカセットユニット８０に対して搬送する搬送部４２（後述）と、搬送方向を変化させる通帳回転部４３（後述）とを有する。また、搬送ユニット４０は、搬送部４２及び通帳回転部４３によりカセットユニット８０から通帳を通帳挿入／排出口４１に搬送して排出させることも可能である。
【００４１】
印字ユニット５０は、搬送ユニット４０により所定位置に搬送された通帳に対して、取引履歴等を印字することができる。
カードリーダライタユニット６０は、カード挿入部６１（後述）に挿入されたカードに対して取引履歴等の情報を書き込み、読み取ることができる。
【００４２】
リーダライタユニット７０は、複数のリーダライタ部から構成されており、当該リーダライタ部は、カセットユニット８０を構成する各カセット（後述）に対して設置されている。リーダライタ部はカセットに収納されている通帳のＲＦＩＤタグに記憶されて情報を読み出して、制御ユニット２０に通知する。また、制御ユニット２０からの命令に応じて所定の情報をＲＦＩＤタグに書き込むことができる。なお、リーダライタ部は対応するカセット内に収納された通帳のＲＦＩＤタグのみに対してアクセスするように、他のカセット内の通帳のＲＦＩＤタグに影響を与えないようにカセット間には電磁波のシールド等が施されている。また、リーダライタユニット７０は、入出力インタフェース２０ｆとの送受信を実行することに限らず、通信インタフェース２０ｅと無線による通信で信号の送受信を行うようにしても構わない。
【００４３】
次に、このような自動発行装置１０の具体的な構成について説明する。
図３は、第２の実施の形態に係る自動発行装置の外観を示す図である。
自動発行装置１０は、電源をオン・オフするための電源スイッチ１１、発行要求に応じて発行された通帳を保持する通帳スタッカ１２，１３（通帳スタッカ１３は図４（Ｂ）を参照）、開閉可能であって、内部に後述するカセットがセットされている前扉１４を有する。
【００４４】
さらに、自動発行装置１０には、ユーザからの操作入力を受け付けて、処理内容を出力するタッチパネル３１、処理履歴等を印字するために通帳を挿入し、印字が完了したら当該通帳を排出する通帳挿入／排出口４１、取引履歴・ユーザ情報等が記録されたカードの磁気ストライプ部を挿入して、磁気ストライプ部に沿ってスライドさせる間に当該磁気ストライプ部に対して情報の書き込み・読み取りを行うカード挿入部６１が配置されている。
【００４５】
さらに、自動発行装置１０に内蔵されている構成について説明する。
図４は、第２の実施の形態に係る自動発行装置の内部構成を示す図である。
なお、図４（Ａ）は自動発行装置１０の正面側（タッチパネル３１の設置側）を、図４（Ｂ）は自動発行装置１０の側部側をそれぞれ表している。また、図４（Ａ）の破線は各構成の配置位置をそれぞれ表している。
【００４６】
自動発行装置１０は、まず通帳が収納されるカセット８１〜８８から構成されるカセットユニット８０が所定の場所にセットされている。カセット８１〜８８には、通帳の属性がそれぞれ対応付けられている。通帳の属性としては、例えば、普通口座通帳、定期口座通帳、総合口座通帳等の用途、並びに、表表紙９１ａ及び裏表紙９１ｂに描かれているデザイン等の形態の種類のことを表す。なお、ここでは、通帳の属性を属性ａ，ｂ，ｃ，ｄ，ｅ，ｆ，ｇ，ｈで表し、それぞれカセット８１〜８８に対応付けられているものとする。
【００４７】
自動発行装置１０は、ユーザの設定に応じて、当該カセットユニット８０から通帳を通帳スタッカ１２，１３のいずれかに搬送するために、通帳を搬送する搬送部４２及び通帳の搬送方向を変化させる通帳回転部４３が内蔵されている。また、自動発行装置１０は、搬送部４２及び通帳回転部４３により搬送された通帳に対して、処理履歴等を印字する印字ユニット５０が内蔵されている。さらに、自動発行装置１０は、ユーザからの操作入力を受け付けるタッチパネル３１の制御を行うタッチパネルコントローラ３２が内蔵されている。なお、カセットユニット８０を除く上記の各部・各ユニットは、自動発行装置１０に内蔵されている、制御ユニット２０によって制御されている。
【００４８】
また、図示を省略しているリーダライタユニット７０の各リーダライタ部は、例えば、カセット８１〜８８の設置位置の下面にそれぞれ設置されている。
次に、リーダライタユニット７０のリーダライタ部について説明する。
【００４９】
図５は、第２の実施の形態に係るリーダライタ部のハードウェア構成例を示す図である。
リーダライタ部７０ａは、アンテナ部７２ａに接続されたアンテナ端７２、記憶部７１、送信部７３、受信部７４、制御部７５及び入出力インタフェース７６を備える。
【００５０】
アンテナ部７２ａは、例えば、ＵＨＦの周波数帯の電磁波を送受信するためのアンテナである。アンテナ部７２ａは、ＲＦＩＤタグ部９７（後述）から受信した電磁波に含まれる受信信号をアンテナ端７２に出力する。また、アンテナ部７２ａは、アンテナ端７２から取得する送信信号をＲＦＩＤタグ部９７に送信する。
【００５１】
アンテナ端７２は、アンテナ部７２ａと接続される。アンテナ端７２は、アンテナ部７２ａから取得する受信信号を受信部７４に出力する。また、アンテナ端７２は、送信部７３から取得する送信信号をアンテナ部７２ａに出力し、出力された送信信号はアンテナ部７２ａからＲＦＩＤタグ部９７に送信される。
【００５２】
記憶部７１は、制御部７５の処理に必要なプログラム等を格納するための不揮発性のメモリである。
送信部７３は、制御部７５から取得する処理結果を変調及びＵＨＦの周波数帯の送信信号に周波数変換してアンテナ端７２に出力する。
【００５３】
受信部７４は、アンテナ端７２から取得するＵＨＦの周波数帯の受信信号を周波数変換及び復調して、受信信号に含まれる処理要求を抽出し、制御部７５に出力する。
制御部７５は、受信部７４による処理要求に応じた処理を行う。また、制御部７５は、送信部７３からアンテナ部７２ａを介して送信信号を送信した送信時刻と、受信部７４がＩＣ（Integrated Circuit）カード９５（後述）からの受信信号をアンテナ部７２ａを介して受信した受信時刻とをそれぞれ計測する。
【００５４】
入出力インタフェース７６は、制御部７５に接続されている。入出力インタフェース７６は制御ユニット２０の入出力インタフェース２０ｆからの処理要求の信号を制御部７５に送信し、制御部７５からの信号を入出力インタフェース２０ｆに送信する。なお、入出力インタフェース７６は、制御ユニット２０の入出力インタフェース２０ｆと有線で接続されている。
【００５５】
このようなリーダライタ部７０ａがカセット８１〜８８に対してそれぞれ配置されている。
次に、リーダライタ部７０ａにより情報が読み取られる通帳及び通帳のＲＦＩＤタグについて説明する。
【００５６】
図６は、第２の実施の形態に係る通帳及び通帳に貼付されたＩＣカードの構成を示す図である。なお、図６（Ａ）は通帳９０の表表紙９１ａ、裏表紙９１ｂ側の表面図、図６（Ｂ）は通帳の表表紙９１ａまたは裏表紙９１ｂに貼付されたＩＣカード９５の拡大図である。
【００５７】
カセットユニット８０のカセット８１〜８８に収納される通帳９０は、表表紙９１ａと、裏表紙９１ｂと、表表紙９１ａ及び裏表紙９１ｂに綴り目９２で綴られた複数の中紙（図示を省略）とを有する。なお、表表紙９１ａには、口座番号及び氏名が明記されている。表表紙９１ａ及び裏表紙９１ｂには磁気ストライプ９３または磁気ストライプ９４が貼付されており、口座番号等の通帳９０の持ち主の個人情報が記録されている（図６（Ａ））。
【００５８】
また、表表紙９１ａまたは裏表紙９１ｂには、ＩＣカード９５が貼付されている。
ＩＣカード９５は、図６に示されるように、アンテナ部９５ａと、アンテナ部９５ａと接続されたＩＣチップ９６とを備える。
【００５９】
アンテナ部９５ａは、例えば、ＵＨＦの周波数帯の電磁波を送受信するためのアンテナである。アンテナ部９５ａは、他の通信装置から受信した電磁波に含まれる受信信号をＩＣチップ９６に出力する。また、アンテナ部９５ａは、ＩＣチップ９６から取得する送信信号を他の通信装置に送信する。
【００６０】
ＩＣチップ９６は、例えば、ＵＨＦの周波数帯での通信について、それぞれの通信可能距離が運用に際して適切な距離となるよう調整される。このために、例えば、ＩＣカード９５を誘電体により覆われた構成とする。誘電体の比誘電率は、インピーダンスマッチングにより各周波数帯の通信可能距離が適切な距離となるよう選択される。
【００６１】
さらに、ＩＣチップ９６は、ＲＦＩＤタグ部９７が内蔵されている。
図７は、第２の実施の形態に係る通帳に貼付されたＩＣカードに内臓されたＲＦＩＤタグ部のハードウェア構成例を示す図である。
【００６２】
ＲＦＩＤタグ部９７は、アンテナ部９５ａに接続されたアンテナ端９７ｂ、記憶部９７ａ、電源制御部９７ｃ、送信部９７ｄ、受信部９７ｅ及び制御部９７ｆを備える。
アンテナ端９７ｂは、アンテナ部９５ａと接続される。アンテナ端９７ｂは、アンテナ部９５ａから取得する受信信号を電源制御部９７ｃ及び受信部９７ｅにそれぞれ出力する。また、アンテナ端９７ｂは、送信部９７ｄから取得する送信信号をアンテナ部９５ａに出力し、出力された送信信号はアンテナ部９５ａから他の通信装置に送信される。
【００６３】
記憶部９７ａは、制御部９７ｆの処理に必要なプログラムや他の通信装置から送信された送信信号の情報を格納するための不揮発性のメモリである。また、記憶部９７ａには、当該ＲＦＩＤタグ部９７が内蔵されたＩＣカード９５が貼付される通帳の識別番号、属性、有効フラグ等の情報、及びＲＦＩＤタグ部９７の個別識別情報が予め記憶されている。なお、有効フラグとは、各金融機関で当該通帳に対して有効性を示すものである。
【００６４】
電源制御部９７ｃは、ＲＦＩＤタグ部９７に接続されるアンテナ部９５ａがリーダライタ部７０ａからの受信信号によりＲＦＩＤタグ部９７を駆動する電力を生成して、ＲＦＩＤタグ部９７の各部に供給する。
【００６５】
送信部９７ｄは、制御部９７ｆから取得する処理結果を変調及びＵＨＦの周波数帯の送信信号に周波数変換してアンテナ端９７ｂに出力する。
受信部９７ｅは、アンテナ端９７ｂから取得するＵＨＦの周波数帯の受信信号を周波数変換及び復調して、受信信号に含まれる処理要求を抽出し、制御部９７ｆに出力する。
【００６６】
制御部９７ｆは、受信部９７ｅから取得する処理要求に応じた処理を実行し、その結果を送信部９７ｄに出力する。
このようなＲＦＩＤタグ部９７を内蔵するＩＣカード９５が、通帳９０の表表紙９１ａまたは裏表紙９１ｂに貼付されている。
【００６７】
次いで、自動発行装置１０が備える制御機能について説明する。
図８は、第２の実施の形態に係る自動発行装置が備える機能を示すブロック図である。
自動発行装置１０は、所定の属性が対応付けられたカセットに、当該属性と異なる通帳が収納されているか否かを判定し、さらに、当該カセットに、所定冊数の通帳が収納されているか否かを判定するものである。
【００６８】
このような自動発行装置１０の制御ユニット２０には、カセット情報記憶部２１、収納状態情報記憶部２２、リーダライタ制御部２３、通帳情報取得部２４、収納状態情報更新部２５、比較判定部２６、計数部２７及び警告部２８の機能を有する。
【００６９】
カセット情報記憶部２１には、カセットユニット８０のカセット８１〜８８にそれぞれ収納される通帳の属性が対応付けられていることを表すカセット情報が記憶されている。さらに、ユーザによって、カセット８１〜８８に対して、収納する通帳の冊数が設定されている。このようなカセット情報について以下に具体例を挙げて説明する。
【００７０】
図９は、第２の実施の形態に係る自動発行装置にセットされるカセットに対応付けた通帳の属性及び冊数を示す図である。
カセット情報記憶部２１に記憶されたカセット情報は、カセット８１〜８８に属性ａ〜ｈがそれぞれ対応付けられていることを表している。さらに、ユーザによって、各カセット８１〜８８に収納予定の通帳の冊数が設定されている。例えば、図９によれば、カセット８４には属性ｄの通帳を３０冊収納し、カセット８７には属性ｇの通帳を５０冊収納することが設定されている。このようなカセット情報をユーザは予め設定しておく。
【００７１】
再び、図８に戻り、収納状態情報記憶部２２は、カセット８１〜８８ごとに収納されている通帳の識別情報、属性及び有効フラグを記憶する。したがって、収納状態情報記憶部２２の情報は、後述する装填時に、カセット８１〜８８に収納されている通帳の情報が記憶されて、自動発行装置１０の運用中に収納されている通帳の発行・追加等に伴って更新されて変化されて、現時点でのカセット８１〜８８が収納する通帳の状態が更新される。
【００７２】
リーダライタ制御部２３は、リーダライタユニット７０の各リーダライタ部に対して、カセット内の通帳のＲＦＩＤタグ部に記憶されている各種情報の読み取りを実行させて、読み取った情報を制御ユニット２０に送信させる。特に、自動発行装置１０に対するカセット８１〜８８の装填時、発行時以外の待機時では、常にリーダライタ部から通帳のＲＦＩＤタグ部の情報を読み取らせている。
【００７３】
通帳情報取得部２４は、リーダライタ制御部２３からカセット８１〜８８ごとの通帳の各種情報を取得して、当該各種情報を収納状態情報更新部２５及び比較判定部２６に通知する。
【００７４】
収納状態情報更新部２５は、通帳情報取得部２４から通帳の各種情報を受け付けて所定のタイミングで、収納状態情報記憶部２２の各カセット８１〜８８に収納されている通帳の識別情報、属性、有効フラグ及び当該通帳の冊数の情報を更新する。なお、装填時には、カセット８１〜８８に収納されている通帳の情報を収納状態情報記憶部２２に記憶させる。
【００７５】
比較判定部２６は、リーダライタユニット７０から通知されたカセット８１〜８８ごとの通帳の有効フラグが設定されているか否かを判定する。また、カセット情報記憶部２１または収納状態情報記憶部２２に基づいて、カセット８１〜８８が収納する通帳の中に属性の異なる通帳が存在するか否かを判定する。さらに、比較判定部２６は、後述する計数部２７が計数したカセット８１〜８８にそれぞれ収納されている通帳の冊数と、カセット情報記憶部２１または収納状態情報記憶部２２のカセット８１〜８８に設定された通帳の冊数とを比較する。
【００７６】
計数部２７は、カセット８１〜８８に収納されている通帳の冊数を計数する。
警告部２８は、比較判定部２６の比較判定結果に応じて、表示ユニット３０に人為的エラーが発生している旨を通知させる。
【００７７】
次に、自動発行装置１０で行われる管理の処理手順について装填時・発行時・待機時の場合についてそれぞれ説明する。
まず、自動発行装置１０で行われる通帳を収納したカセット８１〜８８の装填時について説明する。
【００７８】
図１０は、第２の実施の形態に係る自動発行装置で通帳の装填を実行するための処理を示すフローチャートである。
まず、実際の処理を実行する前に、ユーザは、自動発行装置１０に対して操作入力を行って、通帳の属性が対応付けられたカセット８１〜８８に対して、収納させる通帳の冊数を設定し、カセット情報記憶部２１に記憶しておく。さらに、ユーザは、所定の冊数の通帳を収納したカセット８１〜８８を自動発行装置１０の所定の位置に装填（セット）する。
【００７９】
このような初期設定の完了後、ユーザの実行要求によって自動発行装置１０が以下の処理を実行する。
［ステップＳ１１］
制御ユニット２０はカセット番号の初期化する。なお、初期化後、リーダライタ制御部２３は、カセットユニット８０の中の一番番号が小さいカセット８１に対応するリーダライタ部による通帳のＲＦＩＤタグ部の情報の読み取りを実行させる。
【００８０】
［ステップＳ１２］
通帳情報取得部２４は、リーダライタ制御部２３から読み取り対象のカセットに収納されている通帳の識別情報、有効フラグ及び属性情報を取得する。なお、通帳情報取得部２４は取得した通帳の情報を収納状態情報更新部２５及び比較判定部２６に通知する。また、収納状態情報更新部２５は、収納状態情報記憶部２２の情報を通知された通帳の情報に更新する。
【００８１】
［ステップＳ１３］
比較判定部２６は、通知されたカセットに収納されている通帳の有効フラグが有効に設定されているか否かを判定する。次の処理は、有効フラグが有効に設定されている場合にはステップＳ１４に進められ、設定されていない場合にはステップＳ１９に進められる。
【００８２】
［ステップＳ１４］
比較判定部２６は、読み取り対象のカセットに、カセット情報記憶部２１の当該カセットに対応付けられた属性以外の通帳が収納されているか否かを判別する。次の処理は、属性以外の通帳が無い、即ち異なる属性が無い場合にはステップＳ１５に進められ、属性以外の通帳が有る、即ち異なる属性がある場合にはステップＳ１９に進められる。
【００８３】
［ステップＳ１５］
計数部２７は、収納状態情報更新部２５によって更新された収納状態情報記憶部２２に記憶されているカセットに収納されている通帳の冊数を、通帳の識別情報を用いて計数し、計数結果を比較判定部２６に通知する。
【００８４】
［ステップＳ１６］
比較判定部２６は、カセット情報記憶部２１を参照して、カセット情報記憶部２１に設定されている読み取り対象のカセットに設定されている通帳の冊数と、通知された読み取り対象のカセットに収納されている通帳の冊数とを比較する。次の処理は、互いの冊数が一致する場合にはステップＳ１７に進められ、一致しない場合にはステップＳ１９に進められる。
【００８５】
［ステップＳ１７］
リーダライタ制御部２３は、読み取っていない通帳を収納するカセットの有無を判別する。次の処理は、読み取っていないカセットがあればステップＳ１８に進められ、カセットユニット８０全て読み取ったら処理を終了する。
【００８６】
［ステップＳ１８］
リーダライタ制御部２３は、読み取ったカセットのカセット番号に１を加えたカセット番号のカセットに対応したリーダライタ部を特定させて、再びステップＳ１１に戻って、当該リーダライタ部による読み取りを実行させる。
【００８７】
［ステップＳ１９］
警告部２８は、人為的エラーが発生していることを表示ユニット３０に表示させて、処理を終了させる。また、表示の際には、例えば、「カセット８１で異なる通帳が混入しています」、「カセット８３の通帳の冊数が異なります」等と表示することもできる。
【００８８】
上記処理フローに基づいて、自動発行装置１０に対するカセット８１〜８８の装填時の動作について具体的に説明する。
まず、ユーザはカセット情報記憶部２１に、例えば図９に示したように、属性が対応付けられた各カセットに収納させる通帳の冊数をそれぞれ設定する。その後、通帳が収納されたカセット８１〜８８を自動発行装置１０の所定位置にセットして、ユーザの指示により下記の処理を実行する。
【００８９】
まず、カセット８１に対応するリーダライタ部がカセット８１に収納されている通帳の識別情報、属性情報及び有効フラグの情報を読み取る。なお、この時、収納状態情報更新部２５により収納状態情報記憶部２２に読み取ったカセットに収納されている通帳の情報が更新（新たに記憶）される（ステップＳ１１，Ｓ１２）。
【００９０】
比較判定部２６は、通帳情報取得部２４から通知された、リーダライタ部が読み取った通帳の情報について、有効フラグが有効に設定されていること、また、カセット情報記憶部２１を参照して、カセット８１に収納されている通帳が全て属性ａであることを判定する（ステップＳ１３，Ｓ１４）。
【００９１】
さらに、比較判定部２６は、計数部２７が計数した収納状態情報記憶部２２のカセット８１に収納されている通帳の冊数が、カセット情報記憶部２１のカセット８１に設定された冊数（５０冊）に一致していることを判定する（ステップＳ１５，Ｓ１６）。なお、これによりカセット８１には属性ａの通帳が５０冊収納されていることが確定する。
【００９２】
この後、カセット８２〜８８に対してについて上記と同様の処理が実行されて、警告が発せられなければユーザの人為的エラーが無かったことになり、警告があれば人為的エラーが有ることがユーザに通知される。
【００９３】
次に、自動発行装置１０で行われるカセット８１〜８８からの通帳の発行時について説明する。
図１１は、第２の実施の形態に係る自動発行装置で通帳の発行を実行するための処理を示すフローチャートである。
【００９４】
［ステップＳ２１］
制御ユニット２０は、ユーザの表示ユニット３０のタッチパネル３１を介して通帳の発行要求が通知される。なお、制御ユニット２０は、当該発行要求が通知されると、所定の通帳が存在することを確認する。
【００９５】
［ステップＳ２２］
制御ユニット２０は、発行要求があった通帳を収納するカセットについて、搬送ユニット４０を動作させて当該発行要求に応じた通帳を発行させる。
【００９６】
［ステップＳ２３］
制御ユニット２０は、搬送ユニット４０で発行するための搬送中に通帳が搬送路の途中で詰まっていないか等をチェックして、通帳が正常に発行されたか否かを判別する。次の処理は、通帳が正常に発行されていればステップＳ２４に進められ、正常に発行されていなければステップＳ２１ａに進められる。
【００９７】
［ステップＳ２４］
通帳情報取得部２４は、読み取り対象のカセットにおいて、リーダライタ制御部２３が読み取って発行された通帳及び残された通帳の情報を取得する。
【００９８】
［ステップＳ２５］
比較判定部２６は、収納状態情報記憶部２２の読み取り対象のカセットに収納された通帳と、残された通帳とを比較して、通帳が１冊発行されているか否かを判定する。次の処理は通帳が１冊発行されている場合にはステップＳ２６に進められ、発行されていない場合にはステップＳ２１ａに進められる。
【００９９】
［ステップＳ２６］
比較判定部２６は、発行された通帳の識別情報が、収納状態情報記憶部２２の通帳の識別情報であるか否かを判定する。次の処理は、発行された通帳の識別情報が収納状態情報記憶部２２に存在する場合にはステップＳ２７に進められ、存在しない場合にはステップＳ２１ａに進められる。
【０１００】
［ステップＳ２７］
比較判定部２６は、発行された通帳の属性情報が、収納状態情報記憶部２２のカセットに収納されていた通帳の属性情報であるか否かを判定する。次の処理は、属性情報が収納状態情報記憶部２２の属性情報である場合にはステップＳ２８に進められ、違う場合にはステップＳ２１ａに進められる。
【０１０１】
［ステップＳ２８］
収納状態情報更新部２５は、収納状態情報記憶部２２で発行された通帳に関する情報を削除して、収納状態情報記憶部２２に記憶されている情報を更新する。
【０１０２】
［ステップＳ２９］
制御ユニット２０では、ステップＳ２１で通知された発行要求において、要求された通帳が他にある場合には、次の処理はステップＳ２２に再び進められ、無い場合には上記の処理が終了される。
【０１０３】
［ステップＳ２１ａ］
警告部２８は、人為的エラーが発生していることを表示ユニット３０に表示させて、処理を終了させる。また、表示の際には、例えば、「通帳が正常に発行されていません」等と表示することもできる。
【０１０４】
上記処理フローに基づいて、自動発行装置１０の発行時の動作について具体的に説明する。
ユーザからカセット８３に収納されている１冊の通帳の発行要求が通知されると、自動発行装置１から要求された通帳が発行される（ステップＳ２１〜Ｓ２３）。
【０１０５】
比較判定部２６は、収納状態情報記憶部２２のカセット８３の通帳と、発行された後のカセット８３に残された通帳とを比較して、通帳が発行されて冊数が１冊減っていることを判定する。また、比較判定部２６は、発行された通帳の識別情報及び属性ｃが、収納状態情報記憶部２２のカセット８３に収納されていた通帳の識別情報に存在することを判定する（ステップＳ２４〜Ｓ２７）
収納状態情報更新部２５は、収納状態情報記憶部２２のカセット８３から発行した通帳の情報を削除する（ステップＳ２８）。
【０１０６】
この後、ユーザから他の通帳の発行要求が無いため、発行処理が正常に終了する。
次に、自動発行装置１０で行われるカセット８１〜８８に収納された通帳の待機時の管理について説明する。
【０１０７】
図１２は、第２の実施の形態に係る自動発行装置で通帳の待機時の管理を実行するための処理を示すフローチャートである。
なお、リーダライタ制御部２３は、待機時には、常にリーダライタユニット７０に対してカセットユニット８０の通帳の情報を監視させている。また、以下の処理を実行させるために、例えば、通帳を収納したカセット８１〜８８のセット後、前扉１４を閉じると実行されるようにすることもできる。
【０１０８】
［ステップＳ３１］
制御ユニット２０はカセット番号を初期化する。なお、初期化後、リーダライタ制御部２３は、カセットユニット８０の中の一番番号が小さいカセット８１に対応するリーダライタ部による通帳のＲＦＩＤタグ部の情報の読み取りを実行させる。
【０１０９】
［ステップＳ３２］
通帳情報取得部２４は、リーダライタ制御部２３からカセットに収納されている通帳の識別情報、有効フラグ及び属性情報を取得する。なお、通帳情報取得部２４は取得した通帳の情報を収納状態情報更新部２５及び比較判定部２６に通知する。
【０１１０】
［ステップＳ３３］
比較判定部２６は、収納状態情報記憶部２２が記憶する通帳と、通帳情報取得部２４から取得したカセットに収納された通帳とを比較して、冊数が一致しているか否かを判定する。次の処理は冊数が一致している場合にはステップＳ３４に、一致していない場合にはステップＳ３７に進められる。
【０１１１】
［ステップＳ３４］
比較判定部２６は、読み取り対象のカセットに、収納状態情報記憶部２２の当該カセットに対応付けられた属性以外の通帳が収納されているか否かを判別する。次の処理は、属性以外の通帳が無い、即ち異なる属性が無い場合にはステップＳ３５に進められ、属性以外の通帳が有る、即ち異なる属性がある場合にはステップＳ３７に進められる。
【０１１２】
［ステップＳ３５］
比較判定部２６は、通帳情報取得部２４から取得したカセットに収納された通帳に有効フラグが有効に設定されているか否かを判定する。次の処理は異なる有効フラグが有効に設定されている場合にはステップＳ３６に、設定されていない場合にはステップＳ３７に進められる。
【０１１３】
［ステップＳ３６］
リーダライタ制御部２３は、読み取っていないカセットの有無を判別する。次の処理は、読み取っていないカセットがあればステップＳ３８に進められ、カセットユニット８０全て読み取ったら処理を終了する。
【０１１４】
［ステップＳ３７］
警告部２８は、人為的エラーが発生していることを表示ユニット３０に表示させて、処理を終了させる。また、表示の際には、例えば、「カセット８１で異なる通帳が混入しています」、「カセット８３の通帳の冊数を確認してください」等と表示することもできる。
【０１１５】
［ステップＳ３８］
リーダライタ制御部２３は、カセット番号に１を加えたカセット番号のカセットに対応したリーダライタ部を特定させて、再びステップＳ３１に戻って、当該リーダライタ部による読み取りを実行させる。
【０１１６】
上記処理フローに基づいて、自動発行装置１０の待機時の動作について具体的に説明する。
リーダライタ制御部２３は、リーダライタユニット７０のカセット８１に対応するリーダライタ部にカセット８１に収納されている通帳の情報を読み取らせる（ステップＳ３１，Ｓ３２）。
【０１１７】
比較判定部２６は、通帳情報取得部２４から得られたカセット８１に収納されている通帳の冊数と、収納状態情報記憶部２２のカセット８１に収納されている通帳の冊数と一致していることを判定する。さらに、カセット８１に収納されている通帳に、属性ａ以外の通帳が無いこと、有効フラグが有効に設定されていることを判定する（ステップＳ３３〜Ｓ３５）。
【０１１８】
このようにして、比較判定部２６は、カセット８１〜８８に対しても、収納状態情報記憶部２２を参照して、通帳について冊数、属性、有効フラグについて判定を実行して、属性の異なる通帳が混入されている場合、通帳の冊数が増減した場合等はユーザに即時に警告することができる。
【０１１９】
以上のように、自動発行装置１０では、識別情報、属性情報等を記憶するＲＦＩＤタグ部を貼付した通帳を、属性が対応付けられたカセットに収納して、当該カセットを所定位置にセットするようにした。
【０１２０】
装填時には、カセット情報記憶部２１を参照して、ＲＦＩＤタグ部の情報により、当該カセットに適切な冊数、属性等の異なる通帳が収納されているか否かを即時に判定することができる。
【０１２１】
このため、カセットに属性の異なる通帳を誤って収納した場合、カセットの冊数を誤って設定した場合等の人為的エラーがユーザに即時に通知されるようになり、通帳の管理性が向上する。
【０１２２】
また、発行時には、ユーザからの発行要求に応じて、収納状態情報記憶部２２とカセット内の残された通帳とにより、発行された通帳による冊数の減少を判定し、発行された通帳が自動発行装置１０の所定のカセット内に存在していることを判定することができる。
【０１２３】
これにより、ユーザからの発行要求により発行された通帳が不適切なものである場合には、ユーザに即時に通知されるようになり、発行された通帳の管理性が向上する。
さらに、待機時には、リーダライタ制御部２３によりカセット８１〜８８に収納されている通帳が常に監視することができ、通帳の増減、入れ替え等が行われると、ユーザに即時に通知されるようになり、管理性のみならず堅牢性も向上する。
【０１２４】
［第３の実施の形態］
第３の実施の形態では、通帳を収納するカセットに通帳の属性を対応付けない場合について説明する。なお、第３の実施の形態の自動発行装置１０でも図２〜図７が適用される。
【０１２５】
図１３は、第３の実施の形態に係る自動発行装置が備える機能を示すブロック図である。
自動発行装置１００は、自動発行装置１０に対して、新たに、収納情報記憶部２１ａ、収納状態情報記憶部２２ａ及びカセット情報設定部２９が設けられている。
【０１２６】
収納情報記憶部２１ａには、自動発行装置１００に収納させる通帳の属性ごとの冊数を表す収納情報が記憶されている。また、これらの情報は、ユーザによって設定されている。このような収納情報について具体例を挙げて説明する。
【０１２７】
図１４は、第３の実施の形態に係る自動発行装置に収納される通帳の属性及び冊数を示す図である。
収納情報記憶部２１ａに記憶された収納情報は、ユーザによって、任意のカセットに対して、収納予定の通帳の属性ごとの冊数が設定されている。例えば、属性ａの通帳を５０冊、属性ｅの通帳を３０冊を自動発行装置１００の任意のカセットに収納することが分かる。このような収納情報はユーザによって予め設定される。
【０１２８】
再び、図１３に戻り、収納状態情報記憶部２２ａは、後述するカセット情報設定部２９によってカセットに属性が設定された後、カセットに収納されている通帳の冊数が対応付けられる。
【０１２９】
カセット情報設定部２９は、通帳が収納されたカセット８１〜８８を自動発行装置１００にセットすると、比較判定部２６の判定結果に応じて、収納されている通帳の属性を、当該通帳を収納しているカセットに対応付ける。
【０１３０】
次に、このような自動発行装置１００で行われる装填時の処理手順について説明する。
図１５は、第３の実施の形態に係る自動発行装置で通帳の装填を実行するための処理を示すフローチャートである。
【０１３１】
まず、実際の処理を実行する前に、ユーザは、自動発行装置１００の表示ユニット３０のタッチパネル３１を介して、収納する属性ごとの通帳の冊数を設定して、収納情報記憶部２１ａに記憶される。そして、ユーザは設定した冊数の通帳をカセット８１〜８８に任意に収納して、通帳を収納するカセット８１〜８８を自動発行装置１００の所定位置にそれぞれセットする。
【０１３２】
このような初期設定の完了後、ユーザの実行要求によって自動発行装置１００が以下の処理を実行する。
［ステップＳ４１］
制御ユニット２０はカセット番号を初期化する。なお、初期化後、リーダライタ制御部２３は、カセットユニット８０の中の一番番号が小さいカセット（設定対象カセット）に対応するリーダライタ部による通帳のＲＦＩＤタグ部の情報の読み取りを実行させる。
【０１３３】
［ステップＳ４２］
通帳情報取得部２４は、リーダライタ制御部２３から設定対象カセットに収納されている通帳の識別情報、有効フラグ及び属性情報を取得する。なお、通帳情報取得部２４は取得した通帳の情報を収納状態情報更新部２５及び比較判定部２６に通知する。また、収納状態情報更新部２５は、収納状態情報記憶部２２の情報を通知された通帳の情報に更新する。
【０１３４】
［ステップＳ４３］
比較判定部２６は、設定対象カセットに収納されている通帳の有効フラグが有効に設定されているか否かを判定する。次の処理は、有効フラグが有効に設定されている場合にはステップＳ４４に進められ、設定されていない場合にはステップＳ４９に進められる。
【０１３５】
［ステップＳ４４］
比較判定部２６は、設定対象カセットに収納されている全ての通帳が同一属性の属性であるか否かを判定する。次の処理は、同一属性である場合にはステップＳ４５に進められ、同一属性で無い場合にはステップＳ４９に進められる。
【０１３６】
［ステップＳ４５］
カセット情報設定部２９は、設定対象カセットにステップＳ４３で判定した属性を対応付けて、収納状態情報記憶部２２に記憶させる。さらに、収納状態情報更新部２５は、収納状態情報記憶部２２に、属性が対応付けられた当該カセットに、通帳情報取得部２４から通知された通帳の情報をさらに対応付けて記憶させる。
【０１３７】
［ステップＳ４６］
計数部２７は、ステップＳ４５で設定された収納状態情報記憶部２２に記憶されているカセットごとの通帳の冊数を計数し、計数結果を比較判定部２６に通知する。
【０１３８】
［ステップＳ４７］
比較判定部２６は、収納情報記憶部２１ａを参照して、ステップＳ４５で設定対象カセットに対応付けた属性に対する冊数と、ステップＳ４６で計数された冊数とを比較する。次の処理は、互いの冊数が一致する場合にはステップＳ４８に進められ、一致しない場合にはステップＳ４１ｂに進められる。
【０１３９】
［ステップＳ４８］
リーダライタ制御部２３は、読み取っていない通帳を収納するカセットの有無を判別する。次の処理は、読み取っていないカセットがあればステップＳ４１ａに進められ、カセットユニット８０を全て読み取ったらステップＳ４１ｂに進められる。
【０１４０】
［ステップＳ４９］
警告部２８は、人為的エラーが発生していることを表示ユニット３０に表示させて、処理を終了させる。また、表示の際には、例えば、「カセット８１で異なる通帳が混入しています」、「カセット８３の通帳の冊数が異なります」等と表示することもできる。
【０１４１】
［ステップＳ４１ａ］
リーダライタ制御部２３は、読み取ったカセットのカセット番号に１を加えたカセット番号のカセットに対応したリーダライタ部を特定させて、再びステップＳ４２に戻って、当該リーダライタ部による読み取りを実行させる。
【０１４２】
［ステップＳ４１ｂ］
制御ユニット２０は、全てのカセットに対応付けた属性を表示ユニット３０に表示させて、ユーザからの操作入力による確定を受け付ける。
【０１４３】
［ステップＳ４１ｃ］
制御ユニット２０は、カセットに対する属性の対応付けの確定を判定する。次の処理は確定する場合には処理が終了し、確定しない場合には、再びステップＳ４１に進められる。
【０１４４】
上記処理フローに基づいて、自動発行装置１００の装填時の動作について具体的に説明する。
まず、ユーザは自動発行装置１００に対して、例えば図１４に示したように、収納する通帳の冊数を通帳の属性ごとに設定して、収納情報記憶部２１ａに記憶させる。その後、設定した冊数の通帳をカセット８１〜８８に任意に装填し、自動発行装置１００の所定位置にセットして、ユーザの指示により下記の処理が実行する。
【０１４５】
まず、カセット８１に対応するリーダライタ部がカセット８１に収納されている通帳の識別情報、属性情報及び有効フラグの情報を読み取る（ステップＳ４１，Ｓ４２）。
比較判定部２６は、通帳情報取得部２４から通知された通帳の情報において、有効フラグが有効に設定されており、カセット８１に収納されている通帳が全て属性ｃであることを判定する（ステップＳ４３，Ｓ４４）。
【０１４６】
カセット情報設定部２９は、カセット８１に属性ｃを対応付けて、さらに、収納状態情報更新部２５は、当該カセット８１に、通帳情報取得部２４から通知された通帳の情報をさらに対応付けて収納状態情報記憶部２２に記憶させる（ステップＳ４５）。
【０１４７】
計数部２７は、収納状態情報記憶部２２のカセット８１の通帳の冊数を計数し、比較判定部２６は、収納情報記憶部２１ａの属性ｃに設定された冊数と、計数したカセット８１の通帳の冊数とが一致することを判定する（ステップＳ４６，Ｓ４７）。
【０１４８】
以上の処理を他のカセット８２〜８８に対しても実行することにより、カセット８１〜８８に属性が対応付けられて、さらに、収納する通帳の冊数が設定された収納状態情報記憶部２２ａが生成される。なお、収納状態情報記憶部２２ａが記憶する情報について具体的に説明する。
【０１４９】
図１６は、第３の実施の形態に係る自動発行装置にセットされるカセットに新たに対応付けた通帳の属性及び冊数を示す図である。
収納状態情報記憶部２２ａに記憶されている情報は、上記の処理により、カセット８１〜８８に属性ｃ，ｅ，ｆ，ｇ，ｄ，ｂ，ｈ，ａがそれぞれ対応付けられ、さらに、カセット８１〜８８に、収納情報記憶部２１ａの属性に応じた装填予定の通帳の冊数が設定されている。例えば、カセット８２には、属性ｅが対応付けられており、収納情報記憶部２１ａで設定した属性ｅに対応する通帳を３０冊が装填される。
【０１５０】
このように収納状態情報記憶部２２ａが設定されると、制御ユニット２０は表示ユニット３０に図１６に示したカセット８１〜８８に対応付けられた情報を表示させて、ユーザから操作入力による確定を受け付けると、装填処理が終了する（ステップＳ４１ｂ，Ｓ４１ｃ）。
【０１５１】
以上のように、自動発行装置１００では、識別情報、属性情報等を記憶するＲＦＩＤタグ部を貼付した通帳を、任意のカセットに収納して、当該カセットを所定位置にセットするようにしている。
【０１５２】
比較判定部２６によりカセットに収納されている通帳のＲＦＩＤタグ部の情報から、当該通帳から属性等の異なる通帳の有無を即時に判定し、さらに、カセットに通帳の属性を対応付けることができる。
【０１５３】
このため、ユーザは自動発行装置に対してカセットを自由にセットすることができ、また、カセット内に異なる属性の通帳、また、設定と異なる冊数の通帳を収納した場合等の人為的エラーがユーザに即時に通知されるようになり、通帳の管理性が向上する。
【０１５４】
なお、上記の各実施の形態で示した自動発行装置１，１０，１００が有する機能の少なくとも一部は、コンピュータによって実現することができる。その場合には、上記機能の処理内容を記述したプログラムが提供される。そして、そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記録装置、光ディスク、光磁気記録媒体、半導体メモリ等がある。
【０１５５】
プログラムを流通させる場合には、例えば、そのプログラムが記録された光ディスク等の可搬型記録媒体が販売される。また、プログラムをサーバコンピュータの記憶装置に格納しておき、そのプログラムを、サーバコンピュータからネットワークを介して他のコンピュータに転送することもできる。
【０１５６】
プログラムを実行するコンピュータは、例えば、可搬型記録媒体に記録されたプログラムまたはサーバコンピュータから転送されたプログラムを、自己の記憶装置に格納する。そして、コンピュータは、自己の記憶装置からプログラムを読み取り、そのプログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【符号の説明】
【０１５７】
１，１０，１００  自動発行装置
２  収納部
３  リーダライタ部
４  制御部
４ａ  収納部情報記憶部
４ｂ，２６  比較判定部
４ｃ，２７  計数部
４ｄ，２８  警告部
５  発行媒体
１１  電源スイッチ
１２，１３  通帳スタッカ
１４  前扉
２０   制御ユニット
２０ａ  ＣＰＵ
２０ｂ  ＲＡＭ
２０ｃ  ＨＤＤ
２０ｄ  グラフィックインタフェース
２０ｅ  通信インタフェース
２０ｆ，７６  入出力インタフェース
２０ｇ  バス
２１  カセット情報記憶部
２１ａ  収納情報記憶部
２２，２２ａ  収納状態情報記憶部
２３  リーダライタ制御部
２４  通帳情報取得部
２５  収納状態情報更新部
２９  カセット情報設定部
３０  表示ユニット
３１  タッチパネル
３２  タッチパネルコントローラ
４０  搬送ユニット
４１  通帳挿入／排出口
４２  搬送部
４３  通帳回転部
５０  印字ユニット
６０  カードリーダライタユニット
６１  カード挿入部
７０  リーダライタユニット
７０ａ  リーダライタ部
７１，９７ａ  記憶部
７２  アンテナ端
７２ａ，９７ｂ  アンテナ部
７３，９７ｄ  送信部
７４，９７ｅ  受信部
７５，９７ｆ  制御部
８０  カセットユニット
８１，８２，８３，８４，８５，８６，８７，８８  カセット
９０  通帳
９１ａ  表表紙
９１ｂ  裏表紙
９２  綴り目
９３，９４  磁気ストライプ
９５  ＩＣカード
９５ａ  アンテナ部
９６  ＩＣチップ
９７  ＲＦＩＤタグ部
９７ｃ  電源制御部
【図１】
0005457883.tif 000002
【図２】
0005457883.tif 000003
【図３】
0005457883.tif 000004
【図４】
0005457883.tif 000005
【図５】
0005457883.tif 000006
【図６】
0005457883.tif 000007
【図７】
0005457883.tif 000008
【図８】
0005457883.tif 000009
【図９】
0005457883.tif 000010
【図１０】
0005457883.tif 000011
【図１１】
0005457883.tif 000012
【図１２】
0005457883.tif 000013
【図１３】
0005457883.tif 000014
【図１４】
0005457883.tif 000015
【図１５】
0005457883.tif 000016
【図１６】
0005457883.tif 000017